(57)【特許請求の範囲】
【請求項１】
プレゼンテーション資料作成システムであって、
予行プレゼンテーションにおける複数の資料の各ページの遷移順序に関するページ遷移情報を取得するページ遷移情報取得手段と、
前記複数の資料に含まれる複数の構成要素を抽出する抽出手段と、
前記ページ遷移情報に基づいて前記複数の構成要素の前記予行プレゼンテーションにおける表示順序を判定するとともに、前記複数の構成要素の当該表示順序と前記複数の構成要素のそれぞれに関するキーワードとに基づいて、前記複数の構成要素の相互間のプレゼンテーションにおける関連性を判定する判定手段と、
前記複数の資料に含まれる前記複数の構成要素のうち、所定レベル以上の関連性を有する旨が前記判定手段により判定された２つ以上の構成要素をプレゼンテーション資料内の１つのページに集約することによって、前記複数の資料を統合したプレゼンテーション資料を作成する作成手段と、
を備え、
前記判定手段は、前記予行プレゼンテーションにおける前記複数の構成要素の各表示期間のプレゼンター音声を録音した音声情報に対して音声認識処理を施して取得される文字データと前記複数の構成要素のそれぞれに含まれる文字データとの比較結果を用いて前記予行プレゼンテーションにおける進行程度を認識し、当該進行程度の認識結果にも基づいて前記複数の構成要素の表示順序を判定することを特徴とするプレゼンテーション資料作成システム。
【請求項２】
請求項１に記載のプレゼンテーション資料作成システムにおいて、
前記複数の構成要素のそれぞれに関するキーワードは、前記複数の構成要素のそれぞれに文字データとして含まれるキーワードに加え、前記予行プレゼンテーションにおいて前記複数の構成要素の各表示期間のプレゼンター音声を録音した音声情報に対して音声認識処理を施して取得されるキーワードをも含むことを特徴とするプレゼンテーション資料作成システム。
【請求項３】
請求項１または請求項２に記載のプレゼンテーション資料作成システムにおいて、
前記２つ以上の構成要素は、互いに異なる資料内に存在する少なくとも２つの構成要素を有することを特徴とするプレゼンテーション資料作成システム。
【請求項４】
請求項３に記載のプレゼンテーション資料作成システムにおいて、
前記複数の資料は、プレゼンテーションの基本説明資料である基本資料と当該基本資料に対する補足用の資料である補足資料とを有し、
前記少なくとも２つの構成要素は、前記基本資料内の構成要素と前記補足資料内の構成要素とを含むことを特徴とするプレゼンテーション資料作成システム。
【請求項５】
請求項４に記載のプレゼンテーション資料作成システムにおいて、
前記抽出手段は、前記基本資料の文章における各段落を前記基本資料内の構成要素として抽出することを特徴とするプレゼンテーション資料作成システム。
【請求項６】
請求項４に記載のプレゼンテーション資料作成システムにおいて、
前記抽出手段は、前記補足資料の各ページ画像を前記補足資料内の構成要素として抽出することを特徴とするプレゼンテーション資料作成システム。
【請求項７】
請求項４に記載のプレゼンテーション資料作成システムにおいて、
前記抽出手段は、前記補足資料の画像情報を解析し、前記補足資料に含まれる画像の周囲の空白領域を検出することによって、前記補足資料内の１又は２以上の画像要素を抽出し、前記補足資料内の抽出された各画像要素を前記補足資料内の構成要素として取得することを特徴とするプレゼンテーション資料作成システム。
【請求項８】
請求項４に記載のプレゼンテーション資料作成システムにおいて、
前記抽出手段は、前記予行プレゼンテーションにて画像拡大操作によって表示された前記補足資料の拡大画像を、前記補足資料内の構成要素として抽出することを特徴とするプレゼンテーション資料作成システム。
【請求項９】
請求項１または請求項２に記載のプレゼンテーション資料作成システムにおいて、
前記作成手段は、前記２つ以上の構成要素を、前記プレゼンテーション資料の１つのページ内の同一レイヤに配置することを特徴とするプレゼンテーション資料作成システム。
【請求項１０】
請求項１または請求項２に記載のプレゼンテーション資料作成システムにおいて、
前記作成手段は、前記２つ以上の構成要素を、前記プレゼンテーション資料の１つのページ内の異なるレイヤに配置することを特徴とするプレゼンテーション資料作成システム。
【請求項１１】
請求項１０に記載のプレゼンテーション資料作成システムにおいて、
前記作成手段は、前記２つ以上の構成要素が分離配置された複数のレイヤのうちアクティブレイヤを順次に変更することが可能な前記プレゼンテーション資料を作成することを特徴とするプレゼンテーション資料作成システム。
【請求項１２】
請求項１１に記載のプレゼンテーション資料作成システムにおいて、
前記プレゼンテーション資料は、前記複数のレイヤのうち非アクティブレイヤに配置された構成要素が淡色表示され且つ前記アクティブレイヤと前記非アクティブレイヤとの合成表示が可能となるように、作成されることを特徴とするプレゼンテーション資料作成システム。
【請求項１３】
コンピュータに、
ａ）予行プレゼンテーションにおける複数の資料の各ページの遷移順序に関するページ遷移情報を取得する手順と、
ｂ）前記複数の資料に含まれる複数の構成要素を抽出する手順と、
ｃ）前記予行プレゼンテーションにおける前記複数の構成要素の各表示期間のプレゼンター音声を録音した音声情報に対して音声認識処理を施して取得される文字データと前記複数の構成要素のそれぞれに含まれる文字データとの比較結果を用いて前記予行プレゼンテーションにおける進行程度を認識し、当該進行程度の認識結果と前記ページ遷移情報とに基づいて前記複数の構成要素の前記予行プレゼンテーションにおける表示順序を判定する手順と、
ｄ）前記複数の構成要素の前記表示順序と前記複数の構成要素のそれぞれに関するキーワードとに基づいて、前記複数の構成要素の相互間のプレゼンテーションにおける関連性を判定する手順と、
ｅ）前記複数の資料に含まれる前記複数の構成要素のうち、所定レベル以上の関連性を有する旨が前記ステップｄ）にて判定された２つ以上の構成要素を、プレゼンテーション資料内の１つのページに集約することによって、前記複数の資料を統合したプレゼンテーション資料を作成する手順と、
を実行させるためのプログラム。
【発明の詳細な説明】
【技術分野】
【０００１】
本発明は、プレゼンテーション資料を作成するシステムおよびそれに関連する技術に関する。
【背景技術】
【０００２】
表示装置（例えば、プロジェクタ等）を用いて１つの資料を表示させながら、プレゼンテーションを行う技術が存在する。当該プレゼンテーションにおいては、１つの資料内の複数のページを順次に表示させつつ、各ページの説明が順次に行われる。
【０００３】
なお、特許文献１においては、このような１つの資料のプレゼンテーションをさらに円滑に行うための技術が記載されている。特許文献１に記載の技術においては、１つの資料（文書）におけるポインタの移動情報（ポインティングデバイスで指し示される指定箇所に関する時系列の情報）等を含むシナリオ情報が「シナリオファイル」として作成され、当該シナリオファイルに従って当該資料が再生表示される。これによれば、資料の表示動作において、ポインタの移動動作等も併せて再生表示される。ただし、特許文献１に記載の技術は、単一の資料（文書）を用いてプレゼンテーションを行う技術である。
【先行技術文献】
【特許文献】
【０００４】
【特許文献１】特開平８−１８００３６号公報
【発明の概要】
【発明が解決しようとする課題】
【０００５】
ところで、単一の資料のみではなく複数の資料に基づいてプレゼンテーションが行われることがある。
【０００６】
複数の資料が利用される場合には、複数の資料の相互間を往来しながらプレゼンテーションが進行する。たとえば、或る資料（基本資料）を表示した後に別の資料（補足資料）の関連ページを表示させる表示動作等、が繰り返し実行される。より詳細には、操作者（発表者等）が、基本資料に関連する関連ページを別の補足資料の中から探しつつ、基本資料内の或るページと補足資料内の関連ページとを順次に表示させること等、が繰り返し行われる。
【０００７】
しかしながら、このような手法は大きな労力を要するという問題を有している。
【０００８】
そこで、この発明の課題は、複数の資料に関するプレゼンテーションを簡易に実現することが可能な技術を提供することにある。
【課題を解決するための手段】
【０００９】
上記課題を解決すべく、請求項１の発明は、プレゼンテーション資料作成システムであって、予行プレゼンテーションにおける複数の資料の各ページの遷移順序に関するページ遷移情報を取得するページ遷移情報取得手段と、前記複数の資料に含まれる複数の構成要素を抽出する抽出手段と、前記ページ遷移情報に基づいて前記複数の構成要素の前記予行プレゼンテーションにおける表示順序を判定するとともに、前記複数の構成要素の当該表示順序と前記複数の構成要素のそれぞれに関するキーワードとに基づいて、前記複数の構成要素の相互間のプレゼンテーションにおける関連性を判定する判定手段と、前記複数の資料に含まれる前記複数の構成要素のうち、所定レベル以上の関連性を有する旨が前記判定手段により判定された２つ以上の構成要素をプレゼンテーション資料内の１つのページに集約することによって、前記複数の資料を統合したプレゼンテーション資料を作成する作成手段と、を備え、前記判定手段は、前記予行プレゼンテーションにおける前記複数の構成要素の各表示期間のプレゼンター音声を録音した音声情報に対して音声認識処理を施して取得される文字データと前記複数の構成要素のそれぞれに含まれる文字データとの比較結果を用いて前記予行プレゼンテーションにおける進行程度を認識し、当該進行程度の認識結果にも基づいて前記複数の構成要素の表示順序を判定することを特徴とする。
【００１０】
請求項２の発明は、請求項１の発明に係るプレゼンテーション資料作成システムにおいて、前記複数の構成要素のそれぞれに関するキーワードは、前記複数の構成要素のそれぞれに文字データとして含まれるキーワードに加え、前記予行プレゼンテーションにおいて前記複数の構成要素の各表示期間のプレゼンター音声を録音した音声情報に対して音声認識処理を施して取得されるキーワードをも含むことを特徴とする。
【００１１】
請求項３の発明は、請求項１または請求項２の発明に係るプレゼンテーション資料作成システムにおいて、前記２つ以上の構成要素は、互いに異なる資料内に存在する少なくとも２つの構成要素を有することを特徴とする。
【００１２】
請求項４の発明は、請求項３の発明に係るプレゼンテーション資料作成システムにおいて、前記複数の資料は、プレゼンテーションの基本説明資料である基本資料と当該基本資料に対する補足用の資料である補足資料とを有し、前記少なくとも２つの構成要素は、前記基本資料内の構成要素と前記補足資料内の構成要素とを含むことを特徴とする。
【００１３】
請求項５の発明は、請求項４の発明に係るプレゼンテーション資料作成システムにおいて、前記抽出手段は、前記基本資料の文章における各段落を前記基本資料内の構成要素として抽出することを特徴とする。
【００１４】
請求項６の発明は、請求項４の発明に係るプレゼンテーション資料作成システムにおいて、前記抽出手段は、前記補足資料の各ページ画像を前記補足資料内の構成要素として抽出することを特徴とする。
【００１５】
請求項７の発明は、請求項４の発明に係るプレゼンテーション資料作成システムにおいて、前記抽出手段は、前記補足資料の画像情報を解析し、前記補足資料に含まれる画像の周囲の空白領域を検出することによって、前記補足資料内の１又は２以上の画像要素を抽出し、前記補足資料内の抽出された各画像要素を前記補足資料内の構成要素として取得することを特徴とする。
【００１６】
請求項８の発明は、請求項４の発明に係るプレゼンテーション資料作成システムにおいて、前記抽出手段は、前記予行プレゼンテーションにて画像拡大操作によって表示された前記補足資料の拡大画像を、前記補足資料内の構成要素として抽出することを特徴とする。
【００１７】
請求項９の発明は、請求項１または請求項２の発明に係るプレゼンテーション資料作成システムにおいて、前記作成手段は、前記２つ以上の構成要素を、前記プレゼンテーション資料の１つのページ内の同一レイヤに配置することを特徴とする。
【００１８】
請求項１０の発明は、請求項１または請求項２の発明に係るプレゼンテーション資料作成システムにおいて、前記作成手段は、前記２つ以上の構成要素を、前記プレゼンテーション資料の１つのページ内の異なるレイヤに配置することを特徴とする。
【００１９】
請求項１１の発明は、請求項１０の発明に係るプレゼンテーション資料作成システムにおいて、前記作成手段は、前記２つ以上の構成要素が分離配置された複数のレイヤのうちアクティブレイヤを順次に変更することが可能な前記プレゼンテーション資料を作成することを特徴とする。
【００２０】
請求項１２の発明は、請求項１１の発明に係るプレゼンテーション資料作成システムにおいて、前記プレゼンテーション資料は、前記複数のレイヤのうち非アクティブレイヤに配置された構成要素が淡色表示され且つ前記アクティブレイヤと前記非アクティブレイヤとの合成表示が可能となるように、作成されることを特徴とする。
【００２２】
請求項１３の発明は、コンピュータに、ａ）予行プレゼンテーションにおける複数の資料の各ページの遷移順序に関するページ遷移情報を取得する手順と、ｂ）前記複数の資料に含まれる複数の構成要素を抽出する手順と、ｃ）前記予行プレゼンテーションにおける前記複数の構成要素の各表示期間のプレゼンター音声を録音した音声情報に対して音声認識処理を施して取得される文字データと前記複数の構成要素のそれぞれに含まれる文字データとの比較結果を用いて前記予行プレゼンテーションにおける進行程度を認識し、当該進行程度の認識結果と前記ページ遷移情報とに基づいて前記複数の構成要素の前記予行プレゼンテーションにおける表示順序を判定する手順と、ｄ）前記複数の構成要素の前記表示順序と前記複数の構成要素のそれぞれに関するキーワードとに基づいて、前記複数の構成要素の相互間のプレゼンテーションにおける関連性を判定する手順と、ｅ）前記複数の資料に含まれる前記複数の構成要素のうち、所定レベル以上の関連性を有する旨が前記ステップｄ）にて判定された２つ以上の構成要素を、プレゼンテーション資料内の１つのページに集約することによって、前記複数の資料を統合したプレゼンテーション資料を作成する手順と、を実行させるためのプログラムであることを特徴とする。
【発明の効果】
【００２４】
請求項１ないし請求項１３に記載の発明によれば、予行プレゼンテーションにおける複数の構成要素の各表示期間のプレゼンター音声を録音した音声情報に対して音声認識処理を施して取得される文字データと複数の構成要素のそれぞれに含まれる文字データとの比較結果を用いて予行プレゼンテーションにおける進行程度が認識され、当該進行程度の認識結果と前記ページ遷移情報とに基づいて複数の構成要素の表示順序が判定されるとともに、複数の資料に含まれる複数の構成要素のうち、複数の構成要素の当該表示順序と複数の構成要素のそれぞれに関するキーワードとに基づいて所定レベル以上の関連性を有する旨が判定された２つ以上の構成要素を、プレゼンテーション資料内の１つのページに集約することによって、複数の資料を統合したプレゼンテーション資料が作成されるので、関連性の高い２以上の構成要素が集約されたページを有するプレゼンテーション資料を、非常に簡易に作成することができる。
特に、関連性の高い２つ以上の構成要素が１つのページに自動的に集約されるので、操作者が手動で複数の構成要素（画像等）の配置等を決定して各ページを作成する場合に比べて、関連性の高い複数の構成要素が集約されたページを有するプレゼンテーション資料ＰＲを非常に簡易に作成することができる。
【図面の簡単な説明】
【００２６】
【図１】プレゼンテーションシステムの概要を示す概念図である。
【図２】ＭＦＰの概略構成を示すブロック図である。
【図３】プレゼンテーションシステムにおける動作を示すフローチャートである。
【図４】予行プレゼンテーションで用いられる複数の資料を示す図である。
【図５】表示対象ページの選択用画面を示す図である。
【図６】表示対象ページの選択用画面を示す図である。
【図７】表示対象ページの選択用画面を示す図である。
【図８】表示対象ページの選択用画面を示す図である。
【図９】表示対象ページの選択用画面を示す図である。
【図１０】ページ遷移情報の一例を示す図である。
【図１１】プレゼンテーション資料の作成動作を詳細に示すフローチャートである。
【図１２】予行プレゼンテーションにおけるページ遷移を示す概念図である。
【図１３】複数の構成要素に関する表示順序を示す概念図である。
【図１４】関連性判定結果を示す概念図である。
【図１５】プレゼンテーション資料の第１ページを示す図である。
【図１６】プレゼンテーション資料の第２ページを示す図である。
【図１７】プレゼンテーション資料の第３ページを示す図である。
【図１８】プレゼンテーション資料の第４ページを示す図である。
【図１９】プレゼンテーション資料のページが複数のレイヤで構成される様子を示す図である。
【図２０】複数のレイヤのうちの一のレイヤがアクティブレイヤとして表示される様子を示す図である。
【図２１】他のレイヤがアクティブレイヤとして表示される様子を示す図である。
【図２２】別のレイヤがアクティブレイヤとして表示される様子を示す図である。
【図２３】さらに別のレイヤがアクティブレイヤとして表示される様子を示す図である。
【図２４】画像拡大操作を説明する図である。
【図２５】拡大画像表示画面を示す図である。
【図２６】一部の関連性判定結果等を示す概念図である。
【図２７】一のレイヤがアクティブレイヤとして表示される様子を示す図である。
【図２８】別のレイヤがアクティブレイヤとして表示される様子を示す図である。
【図２９】さらに別のレイヤがアクティブレイヤとして表示される様子を示す図である。
【発明を実施するための形態】
【００２７】
以下、本発明の実施形態を図面に基づいて説明する。
【００２８】
＜１．第１実施形態＞
＜１−１．  システム構成＞
図１は、プレゼンテーションシステム１００の概要を示す概念図である。プレゼンテーションシステム１００は、プレゼンテーション資料作成機能を有しており、プレゼンテーション資料を作成するプレゼンテーション資料作成システムであるとも表現される。
【００２９】
このプレゼンテーションシステム１００は、会議管理装置１０と表示装置３０とコンピュータ５０とマイク７２とを備えている。
【００３０】
会議管理装置１０と表示装置３０とコンピュータ５０とマイク７２とは、互いにネットワークＮＷを介して接続されており、ネットワーク通信を行うことが可能である。ここにおいて、ネットワークＮＷは、ＬＡＮ、ＷＡＮ、インターネットなどによって構成される。各装置のネットワークＮＷへの接続形態は、有線接続であってもよく或いは無線接続であってもよい。
【００３１】
マイク７２は、会議における音声を集音して音声信号を生成し、当該音声信号を会議管理装置１０に送信する。会議管理装置１０は、マイク７２により録音された音声信号に基づいて音声データＡＤ（図７参照）を生成し、格納部５に保存する。
【００３２】
表示装置３０は、会議管理装置１０から送信されてきた各種情報等を表示する装置である。表示装置３０は、例えば大型液晶表示装置として構成され、当該表示装置３０は、ネットワークＮＷを介して会議管理装置１０に接続されている。なお、これに限定されず、表示装置３０は、プロジェクタ装置（投影装置）等であってもよい。また、表示装置３０は、コンピュータ５０を介して会議管理装置に間接的に接続されるようにしてもよい。より詳細には、表示装置３０は、コンピュータ５０の映像信号出力部（詳細には外部出力端子）等を介して、会議管理装置１０からの映像信号を表示出力するようにしてもよい。
【００３３】
会議の出席者は、表示装置３０による表示画像によって、会議に関する各種の情報（資料データ等）を視認することができる。
【００３４】
また、この会議管理装置１０は、プレゼンテーション資料ＰＲ（図５および図６参照）を作成することもできる。そのため、会議管理装置１０は、プレゼンテーション資料作成装置であるとも表現される。プレゼンテーション資料作成動作については後に詳述する。
【００３５】
会議管理装置１０は、この実施形態ではＭＦＰ（マルチ・ファンクション・ペリフェラル（Multi Function Peripheral））として構成されている。
【００３６】
図２は、ＭＦＰ１０の概略構成を示すブロック図である。
【００３７】
図２の機能ブロック図に示すように、ＭＦＰ１０は、画像読取部２、印刷出力部３、通信部４、格納部５、入出力部６およびコントローラ９等を備えており、これらの各部を複合的に動作させることによって、各種の機能を実現する。
【００３８】
画像読取部２は、ＭＦＰ１０の所定の位置に載置された原稿を光学的に読み取って、当該原稿の画像データ（原稿画像とも称する）を生成する処理部である。
【００３９】
印刷出力部３は、印刷対象に関するデータに基づいて紙などの各種の媒体に画像を印刷出力する出力部である。
【００４０】
通信部４は、公衆回線等を介したファクシミリ通信を行うことが可能な処理部である。さらに、通信部４は、通信ネットワークＮＷを介したネットワーク通信が可能である。このネットワーク通信では、ＴＣＰ／ＩＰ（Transmission Control Protocol / Internet Protocol）およびＦＴＰ（File Transfer Protocol）等の各種のプロトコルが利用される。当該ネットワーク通信を利用することによって、ＭＦＰ１０は、所望の相手先との間で各種のデータを授受することが可能である。
【００４１】
格納部５は、ハードディスクドライブ（ＨＤＤ）等の格納装置で構成される。この格納部５には、画像読取部２等で生成された原稿画像（画像データ）が格納される。また、格納部５には、会議に関する複数の資料ＤＭｉ、音声データＡＤおよびプレゼンテーション資料ＰＲ等も格納される。
【００４２】
入出力部６は、ＭＦＰ１０に対する入力を受け付ける操作入力部６ａと、各種情報の表示出力を行う表示部６ｂとを備えている。
【００４３】
コントローラ９は、ＭＦＰ１０に内蔵され、ＭＦＰ１０を統括的に制御する制御装置である。コントローラ９は、ＣＰＵおよび各種の半導体メモリ（ＲＡＭおよびＲＯＭ等）等を備えるコンピュータシステムとして構成される。コントローラ９は、ＣＰＵにおいて、ＲＯＭ（例えば、ＥＥＰＲＯＭ等）内に格納されている所定のソフトウエアプログラム（以下、単にプログラムとも称する）を実行することによって、各種の処理部を実現する。
【００４４】
具体的には、図２に示すように、コントローラ９は、ページ遷移情報取得部３１、資料解析部３２、音声情報解析部３３、ポインタ情報解析部３４、構成要素抽出部３６、関連性判定部３７、資料作成部３８および表示制御部３９等を備える。
【００４５】
ページ遷移情報取得部３１は、予行プレゼンテーションＰＳ０における複数の資料（詳細には、その電子ファイル）ＤＭｉの各ページの遷移順序に関するページ遷移情報ＰＴを取得する処理部である。
【００４６】
資料解析部３２は、複数の資料ＤＭｉのそれぞれを解析する処理部である。
【００４７】
音声情報解析部３３は、発表者（プレゼンター）ＰＡの音声情報（音声データＡＤ）を解析する処理部である。
【００４８】
ポインタ情報解析部３４は、発表者ＰＡによって操作される指示ポインタ（マウスカーソル等）の軌跡情報等を解析する処理部である。
【００４９】
構成要素抽出部３６は、複数の資料ＤＭｉに含まれる複数の構成要素ＥＬｉ（後述）を抽出する処理部である。
【００５０】
関連性判定部３７は、複数の構成要素ＥＬｉの相互間の関連性を判定する処理部である。関連性判定部３７は、複数の構成要素ＥＬｉの表示順序（進行順序）をも判定する。
【００５１】
資料作成部３８は、ページ遷移情報等に基づいて、複数の資料ＤＭｉを統合してプレゼンテーション資料ＰＲを作成する処理部であり、プレゼンテーション資料作成部とも称される。
【００５２】
表示制御部３９は、表示部６ｂにおける表示動作、コンピュータ５０における表示動作、および表示装置３０における表示動作等を制御する。
【００５３】
このＭＦＰ１０は、サーバコンピュータ（以下、単にサーバとも称する）として機能する。
【００５４】
一方、コンピュータ５０は、クライアントコンピュータ（以下、単にサーバとも称する）として機能する。コンピュータ５０は、プレゼンテーション用のアプリケーションソフトウエアを実行することによって、発表者ＰＡからの各種の操作入力を受け付けるとともに、当該操作入力情報をＭＦＰ（サーバ）１０に送信する。また、コンピュータ５０は、ＭＦＰ１０から送信されてきた各種の情報を当該コンピュータ５０の表示部に表示する。
【００５５】
＜１−２．動作＞
＜概要＞
この実施形態においては、本番のプレゼンテーションＰＳ１に先立って練習用のプレゼンテーション（予行プレゼンテーションとも称する）ＰＳ０が実行され、その後、当該予行プレゼンテーションＰＳ０でのページ遷移情報（後述）等を用いてプレゼンテーション資料ファイルＰＲが作成される場合を例示する。具体的には、図３に示すように、（１）予行プレゼンテーション動作（ステップＳ１）、（２）プレゼンテーション資料ファイル作成動作（ステップＳ２）、および（３）本番のプレゼンテーション動作（ステップＳ３）の各動作が、この順序で実行される。
【００５６】
また、ここでは、図４に示すように、（１）予行プレゼンテーションＰＳ０（ステップＳ１）において、４つの資料ＤＭ０，ＤＭ１，ＤＭ２，ＤＭ３が用いられるものとする。
【００５７】
資料ＤＭ０は、プレゼンテーションの基本説明資料である基本資料ＭＢである。この基本資料ＭＢ（ＤＭ０）（より詳細には、基本資料ＭＢ内のハッチング部分）には、プレゼンテーションの説明用の文章が記載されている。そのため、この基本資料ＭＢは、本文資料とも称される。また、他の３つのＤＭ１，ＤＭ２，ＤＭ３は、それぞれ、基本資料ＭＢに対する補足用の資料（補足資料とも称される）ＭＲである。これらの補足資料ＭＲ（ＤＭ１，ＤＭ２，ＤＭ３）は、それぞれ、参照資料あるいは添付資料などとも称される。なお、ここでは、説明の簡単化のため、各資料ＤＭ０〜ＤＭ３が比較的少数のページで構成される場合、より詳細には、基本資料ＭＢが２つのページＢＰ１，ＢＰ２で構成され、各補足資料ＤＭ１，ＤＭ２，ＤＭ３がそれぞれ単一のページＰａ１，Ｐｂ１，Ｐｃ１で構成される場合を例示する。
【００５８】
また、（２）プレゼンテーション資料ファイル作成動作（ステップＳ２）においては、これらの４つの資料ＤＭ０，ＤＭ１，ＤＭ２，ＤＭ３とページ遷移情報ＰＴ（図１０参照）とに基づいて、当該複数の資料ＤＭ０，ＤＭ１，ＤＭ２，ＤＭ３を統合してプレゼンテーション資料ＰＲが作成される。ここで、ページ遷移情報ＰＴは、複数の資料ＤＭ０，ＤＭ１，ＤＭ２，ＤＭ３の各ページの予行プレゼンテーションＰＳ０における遷移順序（表示順序）に関する情報である。
【００５９】
そして、（３）本番のプレゼンテーションＰＳ１（ステップＳ３）においては、ステップＳ２で作成されたプレゼンテーション資料ＰＲを用いることによって、円滑な進行が実現される。
【００６０】
＜予行プレゼンテーション動作＞
まず、予行プレゼンテーションＰＳ０（ステップＳ１）について説明する。ここでは、図４にて矢印で示す表示順序（図１２も参照）に従って各資料ＤＭｉの各ページが表示され、予行プレゼンテーションＰＳ０が実行される。
【００６１】
具体的には、予行プレゼンテーションＰＳ０において、まず、基本資料ＭＢ（ＤＭ０）の第１ページＢＰ１が最初の表示ページとして選択される。図５は、表示対象ページの選択用画面ＧＡ１を示す図である。選択用画面ＧＡ１は、コンピュータ５０の表示画面に表示される画面であり、コンピュータ５０の操作入力部（マウスおよびキーボード等）による操作入力に応じて、表示内容が更新される。
【００６２】
選択用画面ＧＡ１内の左側には、複数の資料の各ページの選択欄ＳＬが設けられている。当該選択欄ＳＬには、基本資料ＭＢ（ＤＭ０）の各ページの選択欄ＳＬ０と、補足資料ＭＲａ（ＤＭ１）の各ページの選択欄ＳＬ１と、補足資料ＭＲｂ（ＤＭ２）の各ページの選択欄ＳＬ２と、補足資料ＭＲｃ（ＤＭ３）の各ページの選択欄ＳＬ３とが設けられている。また、各選択欄ＳＬｉには、ページ指定用のボタンが表示されている。たとえば、選択欄ＳＬ０には、本文資料ＤＭ０の２つのページのいずれかを選択するための２つのボタン（「１」，「２」）が設けられている。また、欄ＳＬ１には、補足資料ＤＭ１の単一のページを選択するための１つのボタン「１」が設けられている。他の欄ＳＬ２，ＳＬ３についても同様である。
【００６３】
また、選択用画面ＧＡ１内の右側には、複数の資料ＤＭｉの各ページのうち表示対象として選択されたページ（表示対象ページ）が表示されるページ表示欄ＤＰが設けられている。
【００６４】
画面ＧＡ１において選択欄ＳＬ０の第１ページに対応するボタン「１」の押下操作（選択操作）が発表者ＰＡによって行われると、図５に示すように、選択されたページ（すなわち、基本資料ＭＢの第１ページＢＰ１）がページ表示欄ＤＰに表示される。
【００６５】
そして、発表者（プレゼンター）ＰＡは、ページＢＰ１を参照しながら、ページＢＰ１内の本文領域ＢＤ１に記載された内容について説明する。
【００６６】
つぎに、画面ＧＡ１において選択欄ＳＬ１の第１ページに対応するボタン「１」の押下操作（選択操作）が発表者ＰＡによって行われると、図６に示すように、選択されたページ（すなわち、補足資料ＭＲａの第１ページＰａ１）がページ表示欄ＤＰに表示される。そして、発表者ＰＡは、今度はページＰａ１を参照しながら、本文領域ＢＤ１に記載された内容をさらに詳細に説明する。例えば、ページＰａ１内に記載されたグラフ等を参照しながら、本文領域ＢＤ１に記載された内容をさらに詳細に説明する。
【００６７】
発表者ＰＡは、再び、画面ＧＡ１において選択欄ＳＬ０の第１ページに対応するボタン「１」を押下する。この押下操作に応じて、図５に示すように、基本資料ＭＢの第１ページＢＰ１がページ表示欄ＤＰに再び表示される。そして、発表者ＰＡは、今度は、（ページＢＰ１内の）本文領域ＢＤ２に記載された内容について、ページＢＰ１を参照しながら説明する。
【００６８】
そして、発表者ＰＡは、再び、画面ＧＡ１において選択欄ＳＬ１の第１ページに対応するボタン「１」を押下する。この押下操作に応じて、図６に示すように、補足資料ＭＲａの第１ページＰａ１がページ表示欄ＤＰに再び表示される。そして、発表者ＰＡは、ページＰａ１を参照しながら、今度は本文領域ＢＤ２に記載された内容をさらに詳細に説明する。
【００６９】
その後、発表者ＰＡは、再び、画面ＧＡ１において選択欄ＳＬ０の第１ページに対応するボタン「１」を押下する。この押下操作に応じて、図５に示すように、基本資料ＭＢの第１ページＢＰ１がページ表示欄ＤＰに再び表示される。そして、発表者ＰＡは、今度は、（ページＢＰ１内の）本文領域ＢＤ３に記載された内容について、ページＢＰ１を参照しながら説明する。
【００７０】
そして、発表者ＰＡは、今度は、画面ＧＡ１において選択欄ＳＬ２の第１ページに対応するボタン「１」を押下する。この押下操作に応じて、図７に示すように、補足資料ＭＲｂの第１ページＰｂ１がページ表示欄ＤＰに表示される。そして、発表者ＰＡは、ページＰｂ１を参照しながら、今度は本文領域ＢＤ３に記載された内容をさらに詳細に説明する。
【００７１】
その後、発表者ＰＡは、今度は、画面ＧＡ１において選択欄ＳＬ０の第２ページに対応するボタン「２」を押下する。この押下操作に応じて、図８に示すように、基本資料ＭＢの第２ページＢＰ２がページ表示欄ＤＰに再び表示される。
【００７２】
そして、発表者ＰＡは、今度は、（ページＢＰ２内の）本文領域ＢＤ４に記載された内容について、ページＢＰ２を参照しながら説明する。
【００７３】
また、発表者ＰＡは、画面の切換操作を行うことなく、今度は、（ページＢＰ２内の）本文領域ＢＤ５に記載された内容について、引き続きページＢＰ２を参照しながら説明する。
【００７４】
そして、発表者ＰＡは、今度は、画面ＧＡ１において選択欄ＳＬ３の第１ページに対応するボタン「１」を押下する。この押下操作に応じて、図９に示すように、補足資料ＭＲｃの第１ページＰｃ１がページ表示欄ＤＰに表示される。そして、発表者ＰＡは、ページＰｃ１を参照しながら、今度は本文領域ＢＤ５に記載された内容をさらに詳細に説明する。
【００７５】
以上のようにして、４つの資料ＤＭ０，ＤＭ１，ＤＭ２，ＤＭ３を用いた予行プレゼンテーションＰＳ０が終了する。
【００７６】
ここにおいて、予行プレゼンテーションＰＳ０期間中においては、選択用画面ＧＡ１に関する操作入力は、コンピュータ５０からＭＦＰ１０へも送信される。すなわち、複数の資料ＤＭ０，ＤＭ１，ＤＭ２，ＤＭ３の各ページの予行プレゼンテーションＰＳ０における遷移順序（ページ遷移順序）に関するデータが、随時、コンピュータ５０からＭＦＰ１０へ送信される。ＭＦＰ１０は、当該データをページ遷移情報ＰＴとして格納部５に蓄積する（図１０参照）。
【００７７】
図１０は、ページ遷移情報ＰＴの一例を示す図である。図１０のページ遷移情報ＰＴにおいては、各ページの表示開始時刻と表示終了時刻とが順次に記録されている。たとえば、資料ＤＭ０（ＭＢ）の第１ページＢＰ１は時刻Ｔ０（１５：００：００」）から時刻Ｔ１（１５：０１：００」）までの期間において表示されたこと、が記録されている。また、資料ＤＭ１（ＭＲａ）の第１ページＰａ１は時刻Ｔ１（１５：０１：００」）から時刻Ｔ２（１５：０２：３０」）までの期間において表示されたこと、が記録されている。換言すれば、時刻Ｔ１においてページＢＰ１からページＰａ１へと遷移したこと、が記録されている。以降、同様に、時刻Ｔ２〜Ｔ８でのページ遷移動作等が記録されている。
【００７８】
また、予行プレゼンテーションＰＳ０の期間中においては、発表者ＰＡの音声は、マイク７２で集音され音声信号に変換されてＭＦＰ１０に送信される。これにより、発表者ＰＡの音声は、音声データＡＤとしてＭＦＰ１０の格納部５に格納される。音声データＡＤは、録音時刻と関連付けて格納される。
【００７９】
＜プレゼンテーション資料ファイル作成動作＞
つぎに、システム１００によるプレゼンテーション資料（詳細には、プレゼンテーション資料の電子ファイル）ＰＲの作成動作について詳細に説明する。
【００８０】
図１１は、プレゼンテーション資料ＰＲの作成動作（ステップＳ２）を詳細に示すフローチャートである。
【００８１】
図１１に示すように、先ずステップＳ２１において、ＭＦＰ１０のページ遷移情報取得部３１は、ページ遷移情報ＰＴ（図１０参照）を、格納部５から取り出して取得する（図１２も参照）。これにより、予行プレゼンテーションＰＳ０における複数の資料ＤＭｉ内の各ページの遷移順序および遷移時刻等が取得される。なお、図１２は、予行プレゼンテーションＰＳ０におけるページ遷移を纏めて示す概念図である。
【００８２】
具体的には、
資料ＤＭ０（ＭＢ）の第１ページＢＰ１（時刻Ｔ０〜時刻Ｔ１）、
資料ＤＭ１（ＭＲａ）の第１ページＰａ１（時刻Ｔ１〜時刻Ｔ２）、
資料ＤＭ０（ＭＢ）の第１ページＢＰ１（時刻Ｔ２〜時刻Ｔ３）、
資料ＤＭ１（ＭＲａ）の第１ページＰａ１（時刻Ｔ３〜時刻Ｔ４）、
資料ＤＭ０（ＭＢ）の第１ページＢＰ１（時刻Ｔ４〜時刻Ｔ５）、
資料ＤＭ２（ＭＲｂ）の第１ページＰｂ１（時刻Ｔ５〜時刻Ｔ６）、
資料ＤＭ０（ＭＢ）の第２ページＢＰ２（時刻Ｔ６〜時刻Ｔ７）、
資料ＤＭ３（ＭＲｃ）の第１ページＰｃ１（時刻Ｔ７〜時刻Ｔ８）、
の各ページがこの順序で表示された旨が取得される。
【００８３】
つぎに、ステップＳ２２において、複数の資料ＤＭｉに含まれる複数の構成要素ＥＬｉを抽出する抽出処理（構成要素抽出処理）が実行される。具体的には、ＭＦＰ１０の構成要素抽出部３６が、資料解析部３２等と協働して、当該抽出処理を実行する。
【００８４】
たとえば、構成要素抽出部３６は、資料解析部３２と協働して、基本資料ＭＢの画像情報および文章情報を解析して、基本資料ＭＢ内の構成要素ＥＬｉを抽出する。詳細には、基本資料ＭＢの文章の１つの段落（段落要素）が１つの構成要素として抽出される。より詳細には、空白行及び／又は文頭のインデント等が検出されることによって、文章内の段落が互いに区別されて抽出される。この結果、図４に示すように、基本資料ＭＢの第１ページＢＰ１からは、３つの段落ＢＤ１，ＢＤ２，ＢＤ３がそれぞれ構成要素ＥＬｉとして抽出される。また、基本資料ＭＢの第２ページＢＰ２からは、２つの段落ＢＤ４，ＢＤ５が、それぞれ構成要素ＥＬｉとして抽出される。
【００８５】
また、構成要素抽出部３６は、資料解析部３２と協働して、補足資料ＭＲの画像情報を解析して補足資料ＭＲ内の構成要素ＥＬｉを抽出する。詳細には、補足資料ＭＲ内の各画像（グラフ等）が１つの構成要素ＥＬｉとして抽出される。より詳細には、画像の周囲の空白領域等を検出することによって、補足資料内の異なる画像が互いに区別されて抽出される。この結果、図４に示すように、補足資料ＭＲａの第１ページＰａ１からは、１つの画像（折れ線グラフ）Ｅａ１が、１つの構成要素ＥＬｉとして抽出される。また、補足資料ＭＲｂの第１ページＰｂ１からは、１つの画像（円グラフ）Ｅｂ１が、１つの構成要素ＥＬｉとして抽出される。さらに、補足資料ＭＲｃの第１ページＰｃ１からは、１つの画像（棒グラフ）Ｅｃ１が、１つの構成要素ＥＬｉとして抽出される。なお、ここでは示されていないが、補足資料ＭＲの同一ページから２つ以上の画像要素が構成要素ＥＬｉとして検出されてもよい。
【００８６】
なお、ここでは、補足資料ＭＲに対する画像解析処理を施した上で、補足資料ＭＲ内の各ページ画像（ページ全体に係る画像要素）を各構成要素ＥＬｉとして抽出する場合を例示しているが、これに限定されない。たとえば、補足資料内の１つのページには１つの画像のみが存在することを前提にして、画像解析処理を行うことなく補足資料ＭＲ内の各ページ画像を直ちにそれぞれ構成要素ＥＬｉとして抽出するようにしてもよい。
【００８７】
つぎに、ステップＳ２３において、ＭＦＰ１０の関連性判定部３７は、音声情報解析部３３等と協働して、構成要素配列処理を実行する。構成要素配列処理は、複数の構成要素ＥＬｉに関する表示順序（進行順序）を判定し、複数の構成要素ＥＬｉを時系列に配列させる処理である。この構成要素配列処理により、図１３にて概念的に示されるように、複数の構成要素ＥＬｉに関する表示順序が決定される。
【００８８】
プレゼンテーションにおいては、発表者ＰＡが基本資料ＭＢ内の文字を音読しながら説明を行うことが多い。そこで、このような特質を利用して、関連性判定部３７は、たとえば、ページ遷移情報ＰＴ（図１０参照）と、音声データＡＤに対する音声情報解析部３３の解析結果とに基づいてプレゼンテーションにおける進行程度（進行段階）を認識することができる。
【００８９】
具体的には、音声情報解析部３３が、ページＢＰ１の最初の表示期間（Ｔ０〜Ｔ１）における音声情報に対して音声認識処理を施し、音声情報を文字データ化する。そして、関連性判定部３７は、当該音声情報に係る文字データとページＢＰ１内の構成要素ＢＤ１〜ＢＤ３に係る文字データとを比較して、プレゼンテーションにおける進行程度を認識する。より詳細には、ページＢＰ１の表示期間において構成要素ＢＤ１内の文字データが読み上げられている旨が判定されると、当該構成要素ＢＤ１に対する説明が行われていることが判定される。
【００９０】
また、関連性判定部３７は、ページ遷移情報ＰＴに基づいて、構成要素ＢＤ１の説明完了直後の時刻Ｔ１に、表示対象ページがページＢＰ１からページＰａ１に遷移したこと（変更されたこと）を判定する。その後、関連性判定部３７は、時刻Ｔ２において、表示対象ページがページＰａ１からページＢＰ１に遷移したことをも判定する。
【００９１】
さらに、音声情報解析部３３は、ページＢＰ１の２回目の表示期間（Ｔ２〜Ｔ３）における音声情報に対して音声認識処理を施し、音声情報を文字データ化する。そして、関連性判定部３７は、当該音声情報に係る文字データとページＢＰ１内の構成要素ＢＤ１〜ＢＤ３に係る文字データとを比較して、プレゼンテーションにおける進行程度を認識する。より詳細には、ページＢＰ１の表示期間において構成要素ＢＤ２内の文字データが読み上げられると、当該構成要素ＢＤ２に対する説明が行われていることが判定される。
【００９２】
また、関連性判定部３７は、ページ遷移情報ＰＴに基づいて、構成要素ＢＤ２の説明完了直後の時刻Ｔ３に、表示対象ページがページＢＰ１からページＰａ１に再び遷移したことを判定する。その後、関連性判定部３７は、時刻Ｔ４において、表示対象ページがページＰａ１からページＢＰ１に再び遷移したことをも判定する。
【００９３】
さらに、音声情報解析部３３は、ページＢＰ１の３回目の表示期間（Ｔ４〜Ｔ５）における音声情報に対して音声認識処理を施し、音声情報を文字データ化する。そして、関連性判定部３７は、当該音声情報に係る文字データとページＢＰ１内の構成要素ＢＤ１〜ＢＤ３に係る文字データとを比較して、プレゼンテーションにおける進行程度を認識する。より詳細には、ページＢＰ１の表示期間において構成要素ＢＤ３内の文字データが読み上げられると、当該構成要素ＢＤ３に対する説明が行われていることが判定される。
【００９４】
また、関連性判定部３７は、ページ遷移情報ＰＴに基づいて、構成要素ＢＤ３の説明完了直後の時刻Ｔ５に、表示対象ページがページＢＰ１からページＰｂ１に遷移したことを判定する。
【００９５】
その後、関連性判定部３７は、時刻Ｔ６において、表示対象ページが補足資料ＭＲｂの第１ページＰｂ１から今度は基本資料ＭＢの第２ページＢＰ２に遷移したことをも判定する。
【００９６】
さらに、音声情報解析部３３は、ページＢＰ２の表示期間（Ｔ６〜Ｔ７）における音声情報に対して音声認識処理を施し、音声情報を文字データ化する。そして、関連性判定部３７は、当該音声情報に係る文字データとページＢＰ２内の構成要素ＢＤ４，ＢＤ５に係る文字データとを比較して、プレゼンテーションにおける進行程度を認識する。より詳細には、ページＢＰ２の表示期間（Ｔ６〜Ｔ７）において構成要素ＢＤ４，ＢＤ５内の文字データが読み上げられると、当該構成要素ＢＤ４，ＢＤ５に対する説明が行われていることが判定される。
【００９７】
また、関連性判定部３７は、ページ遷移情報ＰＴに基づいて、構成要素ＢＤ５の説明完了直後の時刻Ｔ７に、表示対象ページがページＢＰ２からページＰｃ１に遷移したことを判定する。
【００９８】
以上のようにして、図１３に示すように、複数の構成要素ＥＬｉに関する表示順序が決定される。
【００９９】
なお、ここでは、基本資料ＭＢの文章情報が文字データとして基本資料ＭＢ内に予め埋め込まれていることを前提としているが、これに限定されない。たとえば、基本資料ＭＢのスキャン画像に対して文字認識処理（ＯＣＲ処理）を施すこと等によって、文字データが取得されるようにしてもよい。より詳細には、当該スキャン画像内の空白部分等で区切られた各段落を認識して構成要素ＥＬｉを抽出する（ステップＳ２２）とともに、文字認識処理によって当該各段落（画像領域）から文字データを取得して関連性を判定する（ステップＳ２３）ようにしてもよい。
【０１００】
つぎに、ステップＳ２４において、ＭＦＰ１０の関連性判定部３７は、複数の構成要素ＥＬｉの相互間の関連性を判定する関連性判定処理を実行する。この関連性判定処理では、複数の構成要素ＥＬｉが所定レベル以上の関連性を有するか否かが判定される。関連性判定部３７は、各構成要素ＥＬｉの表示順序（詳細には、各構成要素ＥＬｉの連続性等）、および各構成要素ＥＬｉの各キーワード（文字情報）等に基づいて関連性を判定する。なお、各構成要素ＥＬｉの各キーワードは、各構成要素ＥＬｉの文章情報に対して品詞分解処理等を施すことなどによって取得されればよい。
【０１０１】
たとえば、関連性判定部３７は、基本資料ＭＢの構成要素ＢＤ１の表示に引き続いて補足資料ＭＲａの構成要素Ｅａ１の表示が行われていることを考慮して、２つの構成要素ＢＤ１，Ｅａ１の関連性が高いこと（「高」であること）を判定する（図１３参照）。換言すれば、２つの構成要素ＢＤ１，Ｅａ１は所定レベル以上の関連性を有する、と判定される。
【０１０２】
同様に、関連性判定部３７は、基本資料ＭＢの構成要素ＢＤ２の表示に引き続いて補足資料ＭＲａの構成要素Ｅａ１の表示が行われていることなどを考慮して、２つの構成要素ＢＤ２，Ｅａ１の関連性が「高」であることを判定する（図１３参照）。
【０１０３】
さらに、関連性判定部３７は、連続する２つの構成要素ＢＤ１，ＢＤ２の相互間に重複するキーワードが所定数以上存在すること及び共通の構成要素Ｅａ１が当該２つの構成要素ＢＤ１，ＢＤ２の説明に利用されていることなどを考慮して、３つの構成要素ＢＤ１，Ｅａ１，ＢＤ２の関連性が「高」であることを判定する（図１３参照）。
【０１０４】
また、関連性判定部３７は、基本資料ＭＢの構成要素ＢＤ３の表示に引き続いて、補足資料ＭＲｂの構成要素Ｅｂ１の表示が行われていることを考慮して、２つの構成要素ＢＤ３，Ｅｂ１の関連性が「高」であることを判定する（図１３参照）。なお、連続する構成要素ＢＤ２，ＢＤ３，ＢＤ４の相互間には重複するキーワードが存在しない（所定数未満である）ことを考慮して、これらの構成要素ＢＤ２，ＢＤ３，ＢＤ４の関連性は低い（「低」である）と判定される（図１３参照）。換言すれば、これらの構成要素ＢＤ２，ＢＤ３，ＢＤ４の相互間の関連性は所定レベルより低い、と判定される。
【０１０５】
また、連続する構成要素ＢＤ４，ＢＤ５の相互間には重複するキーワードが存在しない（所定数未満である）ことを考慮して、２つの構成要素ＢＤ４，ＢＤ５の関連性も「低」であると判定される（図１３参照）。
【０１０６】
さらに、関連性判定部３７は、基本資料ＭＢの構成要素ＢＤ５の表示に引き続いて、補足資料ＭＲｃの構成要素Ｅｃ１の表示が行われていることを考慮して、２つの構成要素ＢＤ５，Ｅｃ１の関連性が「高」であることを判定する（図１３参照）。
【０１０７】
以上のようにして、関連性判定処理（ステップＳ２４）が実行される。図１４は、関連性判定結果を示す概念図である。図１４においては、所定レベル以上の関連性を有する構成要素が破線で囲われて示されている。
【０１０８】
つぎに、ステップＳ２５において、ＭＦＰ１０の資料作成部３８は、関連性の判定結果に基づいて、プレゼンテーション資料ＰＲを作成する。具体的には、資料作成部３８は、所定レベル以上の関連性を有する２つ以上の構成要素をプレゼンテーション資料ＰＲ内の１つのページに集約する。この第１実施形態においては、所定レベル以上の関連性を有する２つ以上の構成要素がプレゼンテーション資料ＰＲの１つのページ内（より詳細には、１つのページ内の同一レイヤ）に配置される場合について例示する。
【０１０９】
まず、３つの構成要素ＢＤ１，Ｅａ１，ＢＤ２の関連性が「高」であることに基づいて、図１５に示すように、３つの構成要素ＢＤ１，Ｅａ１，ＢＤ２がプレゼンテーション資料ＰＲの第１ページＰＧ１に集約される。詳細には、所定の配置ルールにしたがって、３つの構成要素ＢＤ１，Ｅａ１，ＢＤ２が合成される。より詳細には、基本資料ＭＢの構成要素が表示画面内の右下側に配置され、補足資料ＭＲの構成要素が表示画面内の中央部から左上側に亘って配置される。この結果、図１５のような第１ページＰＧ１が作成される。なお、構成要素ＢＤ１，ＢＤ２は資料ＤＭ０（基本資料ＭＢ）に存在する要素であり、構成要素Ｅａ１は資料ＤＭ１（補足資料ＭＲａ）に存在する要素である。すなわち、構成要素ＢＤ１，ＢＤ２と構成要素Ｅａ１とは互いに異なる資料ＤＭｉ内に存在する要素である。
【０１１０】
また、２つの構成要素ＢＤ３，Ｅｂ１の関連性が「高」であることに基づいて、図１６に示すように、２つの構成要素ＢＤ３，Ｅｂ１がプレゼンテーション資料ＰＲの第２ページＰＧ２に集約される。詳細には、上記と同様の配置ルールにしたがって、２つの構成要素ＢＤ３，Ｅｂ１が合成される。より詳細には、基本資料ＭＢの構成要素ＢＤ３が表示画面内の右下側に配置され、補足資料ＭＲの構成要素Ｅｂ１が表示画面内の中央部から左上側に亘って配置される。なお、構成要素ＢＤ３は資料ＤＭ０に存在する要素であり、構成要素Ｅｂ１は資料ＤＭ２に存在する要素である。すなわち、構成要素ＢＤ３と構成要素Ｅｂ１とは互いに異なる資料ＤＭｉ内に存在する要素である。
【０１１１】
また、２つの構成要素ＢＤ４には高い関連性を有する構成要素が存在しないことに基づいて、図１７に示すように、単一の構成要素ＢＤ４がプレゼンテーション資料ＰＲの第３ページＰＧ３に配置される。
【０１１２】
また、２つの構成要素ＢＤ５，Ｅｃ１の関連性が「高」であることに基づいて、図１８に示すように、２つの構成要素ＢＤ５，Ｅｃ１がプレゼンテーション資料ＰＲの第４ページＰＧ４に集約される。詳細には、上記と同様の配置ルールにしたがって、２つの構成要素ＢＤ５，Ｅｃ１が合成される。より詳細には、基本資料ＭＢの構成要素ＢＤ５が表示画面内の右下側に配置され、補足資料ＭＲの構成要素Ｅｃ１が表示画面内の中央部から左上側に亘って配置される。なお、構成要素ＢＤ５と構成要素Ｅｃ１とは互いに異なる資料ＤＭｉ内に存在する要素である。
【０１１３】
以上のようにして、４つのページＰＧ１〜ＰＧ４を有するプレゼンテーション資料ＰＲが作成される。
【０１１４】
＜本番のプレゼンテーション動作＞
その後、本番のプレゼンテーションＰＳ１が、プレゼンテーション資料ファイルＰＲを用いて実行される。たとえば、ＭＦＰ１０の格納部５内に格納されたプレゼンテーション資料ファイルＰＲの各ページが、コンピュータ５０の操作入力に応じて表示装置３０に表示される。なお、これに限定されず、コンピュータ５０の格納部（ハードディスク等）に格納されたプレゼンテーション資料ファイルＰＲが、コンピュータ５０の操作入力に応じて表示装置３０に表示されるようにしてもよい。
【０１１５】
詳細には、プレゼンテーションＰＳ１においては、次述するように、プレゼンテーション資料ファイルＰＲの４つのページＰＧ１〜ＰＧ４（図１５〜図１８）が順次に表示され、予行プレゼンテーションＰＳ０と同様の内容が同様の順序で説明される。
【０１１６】
まず、発表者ＰＡは、ページＰＧ１の構成要素ＢＤ１，ＢＤ２，Ｅａ１を参照しながら、構成要素ＢＤ１，ＢＤ２，Ｅａ１に関する内容を予行プレゼンテーションＰＳ０と同様の順序で説明する。次に、発表者ＰＡは、ページＰＧ２の構成要素ＢＤ３，Ｅｂ１を参照しながら、構成要素ＢＤ３，Ｅｂ１に関する内容を予行プレゼンテーションＰＳ０と同様の順序で説明する。さらに、発表者ＰＡは、ページＰＧ３の構成要素ＢＤ４を参照しながら、構成要素ＢＤ４に関する内容を説明する。そして、発表者ＰＡは、ページＰＧ４の構成要素ＢＤ５，Ｐｃ１を参照しながら、ページＰＧ４の構成要素ＢＤ５，Ｐｃ１に関する内容を予行プレゼンテーションＰＳ０と同様の順序で説明する。
【０１１７】
以上のような動作によれば、予行プレゼンテーションＰＳ１における複数の資料ＤＭｉの各ページの遷移順序に関するページ遷移情報ＰＴに基づいて、当該複数の資料ＤＭｉを統合してプレゼンテーション資料ＰＲが作成される。そして、発表者ＰＡは、複数の資料ＤＭｉの相互間での表示切換を伴うことを要さず、複数の資料ＤＭｉが纏められた１つのプレゼンテーション資料ＰＲにおいてページを変更すること（特にページを順次に送ること）によって、プレゼンテーションＰＳ１を実行することができる。すなわち、複数の資料ＤＭｉに関するプレゼンテーションＰＳ１を簡易に実現することが可能である。
【０１１８】
また、ＭＦＰ１０は、所定レベル以上の関連性を有する２つ以上の構成要素を１つのページに集約してプレゼンテーション資料ＰＲを作成する。たとえば、プレゼンテーション資料ＰＲの第１ページＰＧ１には、互いに「高」レベルの関連性を有する構成要素ＢＤ１，ＢＤ２，Ｅａ１が集約される。また、プレゼンテーション資料ＰＲの第２ページＰＧ２には、互いに「高」レベルの関連性を有する構成要素ＢＤ３，Ｅｂ１が集約される。同様に、プレゼンテーション資料ＰＲの第４ページＰＧ４には、互いに「高」レベルの関連性を有する構成要素ＢＤ５，Ｅｃ１が集約される。これによれば、関連性の高い２つ以上の構成要素が１つのページに自動的に集約される。そのため、操作者が手動で複数の構成要素（画像等）の配置等を決定して各ページを作成する場合に比べて、関連性の高い複数の構成要素が集約されたページを有するプレゼンテーション資料ＰＲを非常に簡易に作成することができる。
【０１１９】
特に、プレゼンテーション資料ＰＲの同一ページに集約される２つ以上の構成要素は、互いに異なる資料ＤＭｉに存在していた少なくとも２つの構成要素を有する。たとえば、プレゼンテーション資料ＰＲの第１ページＰＧ１は、資料ＤＭ０に存在していた構成要素ＢＤ１（あるいはＢＤ２）と、資料ＤＭ１に存在していた構成要素Ｅａ１とに基づいて作成される。換言すれば、プレゼンテーション資料ＰＲの第１ページＰＧ１に集約される３つの構成要素ＢＤ１，ＢＤ２，Ｅａ１は、互いに異なる資料ＤＭ０，ＤＭ１に存在していた少なくとも２つの構成要素（ＢＤ１，Ｅａ１）を有する。また、第２ページＰＧ２は、資料ＤＭ０に存在していた構成要素ＢＤ３と、資料ＤＭ２に存在していた構成要素Ｅｂ１とに基づいて作成される。換言すれば、第２ページに集約される２つの構成要素ＢＤ３，Ｅｂ１は、互いに異なる資料ＤＭ０，ＤＭ１に存在していた構成要素である。第４ページも同様である。そのため、互いに異なる資料ＤＭｉに存在していた少なくとも２つの構成要素が集約されたページを有するプレゼンテーション資料ＰＲが、非常に簡易に作成され得る。
【０１２０】
＜２．第２実施形態＞
上記第１実施形態においては、プレゼンテーション資料ＰＲの１つのページ内（より詳細には、１つのページ内の同一レイヤ）に、所定レベル以上の関連性を有する２つ以上の構成要素が配置される場合を例示したが、本発明はこれに限定されない。たとえば、所定レベル以上の関連性を有する２つ以上の構成要素が、プレゼンテーション資料ＰＲの１つのページ内の異なるレイヤに配置されるようにしてもよい。第２実施形態では、このような態様について説明する。
【０１２１】
第２実施形態は、第１実施形態の変形例であり、以下では、第１実施形態との相違点を中心に説明する。
【０１２２】
図１１のステップＳ２４までは上記第１実施形態と同様の処理が施される。そして、ステップＳ２５のプレゼンテーション資料作成処理においては、次のような構成を有するプレゼンテーション資料ＰＲ（ＰＲ２とも称する）が作成される。
【０１２３】
当該プレゼンテーション資料ＰＲ２においては、互いに高い関連性を有する４つの構成要素ＢＤ１，Ｅａ１，ＢＤ２，Ｅａ１が、第１ページＰＧ１内の異なるレイヤに配置される（図１９、図２０〜図２３参照）。具体的には、ページＰＧ１の第１レイヤＬＡ１１には構成要素ＢＤ１が配置され、ページＰＧ１の第２レイヤＬＡ１２には構成要素Ｅａ１が配置される。また、ページＰＧ１の第３レイヤＬＡ１３には構成要素ＢＤ２が配置され、ページＰＧ１の第４レイヤＬＡ１４には構成要素Ｅａ１が配置される。
【０１２４】
このように、プレゼンテーション資料ＰＲ２におけるページＰＧ１においては、所定レベル以上の関連性を有する２つ以上（具体的には４つ）の構成要素が、当該ページＰＧ１内の異なるレイヤＬＡ１１〜ＬＡ１４に配置される。端的に言えば、ページＰＧ１においては、関連性「高」の２つ以上の構成要素が、互いに異なるレイヤに分離配置される。なお、各構成要素の各配置平面内（各レイヤ内）での位置は、第１実施形態と同様である。
【０１２５】
また、プレゼンテーション資料ＰＲ２のページＰＧ２においても、ページＰＧ１と同様に、所定レベル以上の関連性を有する２つ以上（具体的には２つ）の構成要素ＢＤ３，Ｅｂ１が、当該ページＰＧ２内の異なるレイヤに配置される。さらに、プレゼンテーション資料ＰＲ２の他のページＰＧ４についても同様にして、所定レベル以上の関連性を有する２つ以上（具体的には、４つ）の構成要素ＢＤ５，Ｅｃ１が、当該ページＰＧ４内の異なるレイヤに配置される。
【０１２６】
その後、ステップＳ３（図３）のプレゼンテーションＰＳ１においては、プレゼンテーション資料ＰＲ２の各ページ内の複数のレイヤは、アクティブレイヤの切換を伴って表示される。すなわち、複数のレイヤのうちのアクティブレイヤが順次に変更されることによって、各ページにおける表示態様が変化する。より詳細には、複数のレイヤのうちアクティブレイヤと非アクティブレイヤとが互いに異なる濃度で合成されて表示される。換言すれば、上記のステップＳ２５においては、プレゼンテーション資料ＰＲ２の各ページは、複数のレイヤのうちアクティブレイヤと非アクティブレイヤとが異なる濃度で合成表示可能となるように、作成される。
【０１２７】
たとえば、第１ページＰＧ１内の複数のレイヤＬＡ１１〜ＬＡ１４は、アクティブレイヤの切換を伴って、次述するように表示される。
【０１２８】
図２０〜図２３は、プレゼンテーション資料ＰＲ２の第１ページＰＧ１における４つのレイヤＬＡ１１〜ＬＡ１４がそれぞれアクティブレイヤとして表示された状態を示す図である。各図に示すように、複数のレイヤＬＡ１１〜ＬＡ１４のうち、アクティブレイヤは比較的高濃度（通常表示）を有し、非アクティブレイヤは比較的低濃度（淡色表示）を有する状態で、複数のレイヤが合成されて表示される。
【０１２９】
プレゼンテーションＰＳ１においては、まず、レイヤＬＡ１１がアクティブレイヤとして設定され、図２０に示すように、レイヤＬＡ１１に配置された構成要素ＢＤ１が通常濃度で表示される。一方、非アクティブレイヤであるレイヤＬＡ１２，ＬＡ１３，ＬＡ１４に配置された構成要素Ｅａ１，ＢＤ２，Ｅａ１は、淡色表示される。このように、複数のレイヤＬＡ１１〜ＬＡ１４のうち非アクティブレイヤに配置された構成要素が淡色表示された状態で、アクティブレイヤと非アクティブレイヤとが合成されてページＰＧ１が表示される。発表者ＰＡは、図２０のような画面を用いて、構成要素ＢＤ１に関する説明を行う。
【０１３０】
つぎに、発表者ＰＡがプレゼンテーションの進行操作（レイヤ更新操作）を行うと、レイヤＬＡ１２がアクティブレイヤとして設定され、図２１に示すように、４つのレイヤＬＡ１１〜ＬＡ１４が合成表示される。具体的には、レイヤＬＡ１２に配置された構成要素Ｅａ１が通常濃度で表示され、一方、非アクティブレイヤであるレイヤＬＡ１１，ＬＡ１３，ＬＡ１４に配置された構成要素ＢＤ１，ＢＤ２，Ｅａ１は、淡色表示される。なお、レイヤＬＡ１４に配置された構成要素Ｅａ１は、レイヤＬＡ１２に配置された構成要素Ｅａ１と重複するため、視認されない。
【０１３１】
発表者ＰＡが、図２１のような画面を用いて構成要素Ｅａ１に関する説明を行った後に、レイヤ更新操作を行うと、今度はレイヤＬＡ１３がアクティブレイヤとして設定され、図２２に示すように、４つのレイヤＬＡ１１〜ＬＡ１４が合成表示される。具体的には、レイヤＬＡ１３に配置された構成要素ＢＤ２が通常濃度で表示され、一方、非アクティブレイヤであるレイヤＬＡ１１，ＬＡ１２，ＬＡ１４に配置された構成要素ＢＤ１，Ｅａ１，Ｅａ１は、淡色表示される。
【０１３２】
また、更にレイヤ更新操作が行われると、レイヤＬＡ１４がアクティブレイヤとして設定され、図２３に示すように、４つのレイヤＬＡ１１〜ＬＡ１４が合成表示される。具体的には、レイヤＬＡ１４に配置された構成要素Ｅａ１が通常濃度で表示され、一方、非アクティブレイヤであるレイヤＬＡ１１，ＬＡ１２，ＬＡ１３に配置された構成要素ＢＤ１，Ｅａ１，ＢＤ２は、淡色表示される。
【０１３３】
このように、複数のレイヤＬＡ１１〜ＬＡ１４のうちのアクティブレイヤが順次に変更されることによって、ページＰＧ１の表示態様が遷移していく。換言すれば、或るページＰＧ１内の異なるレイヤの構成要素が順次にアクティブ状態にされて表示される。
【０１３４】
その他のページＰＧ２，ＰＧ４についても同様の表示動作が実行される。
【０１３５】
以上の動作によれば、第１実施形態と同様の効果を得ることが可能である。また、或るページ内の異なるレイヤの構成要素が順次にアクティブ状態にされて表示されるため、聴講者は、注目箇所（注目すべき構成要素）を容易に把握することができる。
【０１３６】
＜３．第３実施形態＞
第３実施形態においては、予行プレゼンテーションＰＳ０における補足資料内の画像拡大操作にも基づいて補足資料内の構成要素が抽出される態様について説明する。
【０１３７】
第３実施形態は、第１実施形態の変形例であり、以下では、第１実施形態との相違点を中心に説明する。
【０１３８】
この第３実施形態においては、ステップＳ１（図３）の予行プレゼンテーションＰＳ０において、資料ＤＭ２（ＭＲｂ）の第１ページＰｂ１のグラフの一部を拡大する画像拡大操作が行われる場合を想定する。
【０１３９】
具体的には、ステップＳ１において、発表者ＰＡは、図２４に示すように、画面ＧＡ１（図７）内のページＰｂ１のグラフの拡大対象領域ＲＧ１をマウス操作で指定した後に、右クリックメニュー（不図示）内の拡大コマンドを選択する。これに応じて、コンピュータ５０は、拡大対象領域ＲＧ１に係る画像をページＰｂ１から抽出して拡大することにより、図２５のような拡大画像（拡大対象領域ＲＧ１に係る部分を拡大して示す画像）ＥＧを生成して、表示装置３０に表示させる。このように、予行プレゼンテーションＰＳ０での画像拡大操作によって、補足資料ＭＲｂのページＰｂ１の拡大画像（部分拡大画像とも称する）ＥＧが表示される。そして、発表者ＰＡは、予行プレゼンテーションＰＳ０において拡大画像ＥＧを用いて説明を行う。
【０１４０】
このとき、拡大画像ＥＧは、コンピュータ５０からＭＦＰ１０に転送される。ＭＦＰ１０（詳細には構成要素抽出部３６）は、ページＰｂ１から抽出された拡大画像ＥＧをその表示期間とともに格納部５内のページ遷移情報ＰＴ内に格納する。なお、ここでは、コンピュータ５０が拡大画像ＥＧを作成する場合を例示しているが、これに限定されず、ＭＦＰ１０（詳細には構成要素抽出部３６等）が、拡大対象領域ＲＧ１に係る画像をページＰｂ１から抽出して拡大することにより、拡大画像ＥＧを作成するようにしてもよい。
【０１４１】
また、ここでは、拡大画像ＥＧ内の円グラフに関する複数のオブジェクトのうち、拡大対象領域ＲＧ１内において、所定割合（例えば７０％）以上表示されているオブジェクトのみが、拡大画像（詳細には修正後の拡大画像）ＥＧとして格納部５に格納されるものとする。換言すれば、当該複数のオブジェクトのうち、所定値（例えば７０％）以上の表示割合（そのオブジェクトの全面積に対する表示対象面積の割合）を有するオブジェクトのみが、拡大画像ＥＧとして格納部５に格納されるものとする。たとえば、円グラフの２番目のオブジェクトＢＪ２に関しては、領域ＲＧ１内において当該オブジェクトの全体（１００％）が表示されているため、２番目のオブジェクトＢＪ２は拡大画像ＥＧとして格納される。一方、領域ＲＧ１内において、円グラフの１番目のオブジェクトＢＪ１の表示対象面積は、当該オブジェクトＢＪ１の全面積の２〜３割程度の面積に過ぎないため、１番目のオブジェクトＢＪ１は拡大画像ＥＧから除外される。同様に、領域ＲＧ１内において、円グラフの３番目のオブジェクトＢＪ３および４番目のオブジェクトＢＪ４に関しても、その表示対象面積の割合（各オブジェクトの全面積に対する各オブジェクトの表示対象面積の割合）は所定値（例えば７０％）未満である。そのため、オブジェクトＢＪ３，ＢＪ４も、拡大画像ＥＧから除外される。
【０１４２】
その後、ステップＳ２１においてページ遷移情報ＰＴが取得され、ステップＳ２２において拡大画像ＥＧが新たな構成要素として抽出される。ステップＳ２２では、構成要素抽出部３６は、第２の補足資料ＭＲｂの第１ページＰｂ１から、１つの画像（円グラフ）Ｅｂ１とともに、その拡大画像ＥＧをも構成要素ＥＬｉとして抽出する。詳細には、構成要素抽出部３６は、拡大画像ＥＧをページ遷移情報ＰＴから取得する。なお、構成要素抽出部３６のこの取得処理は、ページ遷移情報ＰＴを介して、第２の補足資料ＭＲｂの第１ページＰｂ１から拡大画像ＥＧを抽出する処理であるとも表現される。
【０１４３】
また、ステップＳ２３の構成要素配列処理では、関連性判定部３７は、拡大画像ＥＧに係る構成要素を、各構成要素の表示順序に従って、構成要素Ｅｂ１の次に配置する（図２６参照）。
【０１４４】
さらに、ステップＳ２４の関連性判定処理では、関連性判定部３７は、構成要素Ｅｂ１の表示に引き続いて拡大画像ＥＧの表示が行われていることを考慮して、２つの構成要素Ｅｂ１，ＥＧの関連性が高いこと（「高」であること）をも判定する（図２６参照）。
【０１４５】
そして、ステップＳ２５のプレゼンテーション資料作成処理では、プレゼンテーション資料ＰＲ３が作成される。プレゼンテーション資料ＰＲ３においては、３つの構成要素ＢＤ３，Ｅｂ１，ＥＧの関連性が「高」であることに基づいて、３つの構成要素ＢＤ３，Ｅｂ１，ＥＧがプレゼンテーション資料ＰＲの第２ページＰＧ２に集約される。ここでは、第２実施形態と同様に、互いに高い関連性を有する３つの構成要素ＢＤ３，Ｅｂ１，ＥＧが、第２ページＰＧ２内の異なるレイヤに配置される（図２７〜図２９参照）。詳細には、ページＰＧ２の第１レイヤＬＡ２１には構成要素ＢＤ３が配置され、ページＰＧ２の第２レイヤＬＡ２２には構成要素Ｅｂ１が配置され、ページＰＧ２の第３レイヤＬＡ２３には構成要素ＥＧが配置される。
【０１４６】
そして、ステップＳ３において、プレゼンテーション資料ＰＲ３を用いて、プレゼンテーションＰＳ１が行われる。このプレゼンテーションＰＳ１においては、プレゼンテーション資料ＰＲの第２ページＰＧ２は、レイヤＬＡ２１，ＬＡ２２，ＬＡ２３の順序でアクティブレイヤの変更を伴いつつ表示される（図２７〜図２９）。
【０１４７】
以上のように、この第３実施形態によれば、予行プレゼンテーションＰＳ０における画像拡大操作に基づく補足資料の拡大画像が構成要素として抽出され、当該構成要素がプレゼンテーション資料ＰＲ３内に配置される（ステップＳ２２）。そのため、発表者ＰＡは、プレゼンテーションＰＳ１実行時には画像拡大操作を伴うことなく、当該拡大画像を容易に表示させることが可能である。
【０１４８】
＜４．変形例等＞
以上、この発明の実施の形態について説明したが、この発明は上記説明した内容のものに限定されるものではない。
【０１４９】
たとえば、上記各実施形態においては、ステップＳ２４の関連性判定処理において、連続する構成要素の相互間に重複するキーワードが所定数以上存在することなどが考慮されており、各構成要素ＢＤｉの各キーワードは、各基本資料ＤＭ０内の文章情報（文字情報）に基づいて取得される場合を例示したが、これに限定されない。
【０１５０】
具体的には、関連性判定部３７は、音声情報解析部３３等と協働して、関連性判定処理を実行するようにしてもよい。より詳細には、音声情報解析部３３が、ページＢＰ１の１回目の表示期間（Ｔ０〜Ｔ１）における音声情報とページＢＰ１の２回目の表示期間（Ｔ２〜Ｔ３）における音声情報とに対して、それぞれ、音声認識処理を施し音声情報を文字データ化しキーワードを抽出する。そして、両期間の相互間において重複して検出されたキーワードの数が閾値以上であるか否か等に基づいて、両期間の関連性、換言すれば構成要素ＢＤ１と構成要素ＢＤ２との関連性が所定レベル以上であるか否かが判定されるようにしてもよい。
【０１５１】
あるいは、関連性判定部３７は、ポインタ情報解析部３４等と協働して、関連性判定処理を実行するようにしてもよい。詳細には、ポインタ情報解析部３４が、予行プレゼンテーションＰＳ０における、ページＢＰ１の１回目の表示期間（Ｔ０〜Ｔ１）でのマウスカーソル（ポインタ）の軌跡情報とページＢＰ１の２回目の表示期間（Ｔ２〜Ｔ３）でのマウスカーソル（ポインタ）の軌跡情報とに基づいて、それぞれ、キーワードを抽出する。より詳細には、ポインタ情報解析部３４は、マウスカーソルで文字列を囲むような操作（あるいは下線を引くような操作）等を検出して、当該操作対象の文字列をキーワードとして抽出する。そして、両表示期間の相互間において重複して検出されたキーワードの数が閾値以上であるか否か等に基づいて、構成要素ＢＤ１と構成要素ＢＤ２との関連性が所定レベル以上であるか否かが判定されるようにしてもよい。このように、予行プレゼンテーションＰＳ０における指示ポインタの軌跡情報にも基づいて、複数の構成要素の相互間の関連性が判定されるようにしてもよい。
【０１５２】
また、上記各実施形態においては、ステップＳ２３の構成要素配列処理において、音声データＡＤに対する音声情報解析部３３の解析結果等に基づいて、予行プレゼンテーションＰＳ０における進行程度（進行段階）が認識される場合を例示したが、これに限定されない。たとえば、次述するように、予行プレゼンテーションＰＳ０における各ページの表示期間でのマウスカーソル（ポインタ）の軌跡情報に基づいて、進行程度が認識されるようにしてもよい。詳細には、ページＢＰ１の１回目の表示期間（Ｔ０〜Ｔ１）において、マウスカーソルによって構成要素ＢＤ１内の文字列を囲む動作が行われているときには、当該構成要素ＢＤ１に関する説明が行われていることが認識される。同様に、ページＢＰ１の２回目の表示期間（Ｔ２〜Ｔ３）において、マウスカーソルによって構成要素ＢＤ２内の文字列を囲む動作が行われているときには、当該構成要素ＢＤ２に関する説明が行われていることが認識される。このように、マウスカーソル等の軌跡情報に基づいて、進行程度が認識されるようにしてもよい。
【符号の説明】
【０１５３】
１０  会議管理装置（ＭＦＰ）
３０  表示装置
５０  コンピュータ
７２  マイク
１００  プレゼンテーションシステム
ＢＤ１〜ＢＤ５  本文領域（構成要素）
ＤＭｉ  （元の）資料
Ｅａ１，Ｅｂ１，Ｅｃ１  画像（構成要素）
ＥＧ  拡大画像（構成要素）
ＥＬｉ  構成要素
ＰＲ，ＰＲ１〜ＰＲ３  プレゼンテーション資料
ＬＡ１１〜ＬＡ１４，ＬＡ２１〜ＬＡ２３  レイヤ
ＭＢ  基本資料
ＭＲ，ＭＲａ，ＭＲｂ，ＭＲｃ  補足資料
ＰＴ  ページ遷移情報
ＲＧ１  拡大対象領域
【図１】
0005577947.tif 000002
【図２】
0005577947.tif 000003
【図３】
0005577947.tif 000004
【図４】
0005577947.tif 000005
【図５】
0005577947.tif 000006
【図６】
0005577947.tif 000007
【図７】
0005577947.tif 000008
【図８】
0005577947.tif 000009
【図９】
0005577947.tif 000010
【図１０】
0005577947.tif 000011
【図１１】
0005577947.tif 000012
【図１２】
0005577947.tif 000013
【図１３】
0005577947.tif 000014
【図１４】
0005577947.tif 000015
【図１５】
0005577947.tif 000016
【図１６】
0005577947.tif 000017
【図１７】
0005577947.tif 000018
【図１８】
0005577947.tif 000019
【図１９】
0005577947.tif 000020
【図２０】
0005577947.tif 000021
【図２１】
0005577947.tif 000022
【図２２】
0005577947.tif 000023
【図２３】
0005577947.tif 000024
【図２４】
0005577947.tif 000025
【図２５】
0005577947.tif 000026
【図２６】
0005577947.tif 000027
【図２７】
0005577947.tif 000028
【図２８】
0005577947.tif 000029
【図２９】
0005577947.tif 000030